(57)【要約】【課題】履きやすく、かつ、履き位置がずれてしまわず、さらに履き心地の良いフットカバーを安価に製造する。【解決手段】このフットカバー１００は、爪先と踵を含む足底とを被覆するとともに足甲および足首を露出するフットカバーであって、爪先部１０２、足底部１０４、側辺部１０６および踵部１０８で形成され、足底部１０４に対して上下反対側に足を出し入れするための開口部を設け、開口部の周縁に沿った少なくとも側辺部１０６および踵部１０８に、伸縮性および粘着性を備えたシリコーンテープ１１６（帯状のシリコーン部）を設けた。【選択図】図１
2015137426.tif 000002
【特許請求の範囲】
【請求項１】
爪先と踵を含む足底とを被覆するとともに足甲および足首を露出するフットカバーであって、
伸縮性生地で編成された、足底部、側辺部、踵部および前記爪先を覆う爪先部で形成され、
前記足底部に対して上下反対側に足を出し入れするための開口部を設け、
前記開口部の周縁に沿った少なくとも前記側辺部および前記踵部に、伸縮性および粘着性を備えた帯状のシリコーン部を設けたことを特徴とするフットカバー。
【発明の詳細な説明】
【技術分野】
【０００１】
本発明は、着用するとパンプス（履き口である甲部分が大きく開いている主として婦人用の靴）等の靴の内側に隠れて見えなくなるフットカバーに関し、特に、歩行等の動作によっても脱げたり位置ずれすることが少ないフットカバーに関する。
【背景技術】
【０００２】
素足にパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にパンプスから露出することのないよう履き口が大きくカットされた薄手のフットカバーが提案されている。このフットカバーを着用してパンプスを履けば、外観上、素足にパンプスを履いているように見え、足裏とパンプスとの間にはフットカバーが介しているため、汗によって靴の中が蒸れてしまうことを防止することができる。
【０００３】
なお、このような足装着具を、本明細書ではフットカバーと記載するが、ソックスカバー、インナーソックス、ヌードソックス、カバーソックス等と記載される場合もある。
このようなフットカバーはパンプスから露出しないよう履き口が大きくカットされているため、歩行中の摩擦等によって履き位置がずれたり、脱げたりすすることがある。一方、履き口を小さくしてしまうとパンプスから露出してしまう。このような問題点に鑑みて開発されたフットカバーが、以下の先行技術文献に開示されている。
【０００４】
特開平１０−２９２２０６号公報（特許文献１）は、歩行時におけるパンプスとフットカバーとの摩擦によってフットカバーが素足から脱げてしまったり、パンプスの脱ぎ履き時にフットカバーが脱げてしまったり履き位置がずれてしまったりすることを防止するために、踵当接部内面に摩擦付与体を取り付けたフットカバーを開示する。
実用新案登録第３１６５７３３号公報（特許文献２）は、特許文献１に開示されたフットカバーの開口部の周縁に沿ってゴム紐を設けたのでは、ゴム紐が足に食い込むため、足にゴム紐の型が付いてしまったり、痛みを感じたり、履き心地が良くないという問題があったことに鑑み、開口部の周縁に沿って平ゴムを設けて一面が足に接するようにした帯状伸縮部を形成したフットカバーを開示する。
【先行技術文献】
【特許文献】
【０００５】
【特許文献１】特開平１０−２９２２０６号公報
【特許文献２】実用新案登録第３１６５７３３号公報
【発明の概要】
【発明が解決しようとする課題】
【０００６】
特許文献１に開示されたフットカバーは、履き口の周縁にゴムを設けるとともに踵当接部内面に摩擦付与体（ゴム材）を設けており、特許文献２に開示されたフットカバーは、開口部の周縁に平ゴムを設けるとともに着用者の踵に当接する後部内面にシリコーンゲルにより形成された滑り止めを設けている。すなわち、いずれのフットカバーも、開口部の周縁に伸縮性を備えたゴム材を設け、踵に当接する部分に粘着性を備えた滑り止めを設けている。
【０００７】
しかしながら、このようなフットカバーは、（１）フットカバーの開口部の周縁にゴムを縫着したり貼付したりする必要がある上に踵部に滑り止めを設ける必要があり製造工数が増える、（２）ゴムが開口部全周にわたって設けられているのでゴムが足の各部分に当たり履き心地がよくない、という問題がある。
本発明は、従来技術の上述の問題点に鑑みて開発されたものであり、その目的とするところは、フットカバーを履くときに開口部が十分に開いて履きやすく、かつ、歩行時およびパンプスの脱ぎ履き時にフットカバーが脱げてしまったり履き位置がずれてしまったりすることがなく、さらに、製造工数が少ないために安価に製造できるとともに、履き心地
が良い、フットカバーを提供することを目的とする。
【課題を解決するための手段】
【０００８】
上記目的を達成するため、本発明に係るフットカバーは以下の技術的手段を講じている。
すなわち、本発明に係るフットカバーは、爪先と踵を含む足底とを被覆するとともに足甲および足首を露出するフットカバーであって、伸縮性生地で編成された、足底部、側辺部、踵部および前記爪先を覆う爪先部で形成され、前記足底部に対して上下反対側に足を出し入れするための開口部を設け、前記開口部の周縁に沿った少なくとも前記側辺部および前記踵部に、伸縮性および粘着性を備えた帯状のシリコーン部を設けたことを特徴とする。
【発明の効果】
【０００９】
本発明のフットカバーによれば、フットカバーを履くときに開口部が十分に開いて履きやすく、かつ、歩行時およびパンプスの脱ぎ履き時にフットカバーが脱げてしまったり履き位置がずれてしまったりすることがないようにできる。さらに、本発明のフットカバーによれば、製造工数が少ないために安価に製造できるとともに、履き心地が良くすることができる。
【図面の簡単な説明】
【００１０】
【図１】本発明の実施の形態に係るフットカバーの全体斜視図である。
【図２】図１のフットカバーを裏返した斜視図である。
【発明を実施するための形態】
【００１１】
以下、本発明の実施の形態に係るフットカバーを、図面に基づき詳しく説明する。なお、フットカバーの構造には様々なものがあり、本発明は特定の構造に限定されるものではなく、後述する特徴を備えたものであれば、どのようなフットカバーの構造であっても、フットカバーを構成する生地の種類、生地の型紙およびその縫製がどのようなものであっても構わない。そのため、以下に示すフットカバーの構造自体は単なる例示でしかない。なお、このフットカバーは複数の生地片（パーツ）から形成され、いずれの生地も伸縮性を備えた編地である。
【００１２】
図１および図２に本発明の実施の形態に係るフットカバー１００を示す。図１はフットカバー１００の全体斜視図であって、図２はフットカバー１００を裏返した斜視図であって、いずれの図も着用者の足Ｆにフットカバーを着用している状態を想定している。すなわち、本発明の実施の形態に係るフットカバーは、パンティストッキング等の伸縮性生地で形成されているために、このように想定して図示しない場合には縮んだ状態となり、形状を理解することが困難なため、上述のように想定している。
【００１３】
このフットカバー１００は、着用者の足Ｆの爪先と踵を含む足底とを被覆するとともに足甲および足首を露出するフットカバーである。このフットカバー１００は、着用時にパンプスから露出することのないよう履き口である開口部が大きくカットされた薄手の伸縮性生地（レース地を含むパンティストッキング等の生地）で形成されている。
このフットカバー１００は、爪先部１０２、足底部１０４、側辺部１０６および踵部１０８で形成されている。そして、足底部１０４に対して上下反対側に足を出し入れするための開口部が設けられている。開口部は、爪先部１０２の上部、側辺部１０６の上部および踵部１０８の上部で形成されることになる。
【００１４】
このフットカバー１００は、たとえば、爪先部１０２、足底部１０４、側辺部１０６および踵部１０８を別々に編成して（側辺部１０６および踵部１０８は一体的に編成）、側辺部１０６および踵部１０８と爪先部１０２とを縫着して一体化して、さらに、一体化されたこれらの爪先部１０２、側辺部１０６および踵部１０８と足底部１０４とを縫着して一体化している。なお、後述するシリコーンテープ１１６および爪先部シリコーンテープ１１２（いずれも帯状のシリコーン部）は、縫着する前に（すなわち一体化する前に）フットカバー１００の生地に貼り付けても、縫着した後に（すなわち一体化した後に）フットカバー１００の生地に貼り付けても、いずれでも構わない。また、帯状のシリコーン部（テープに限定されない）をフットカバー１００の編地に設ける方法は、後述するように
シリコーンテープを接着する以外の方法であっても構わない。
【００１５】
このフットカバー１００においては、足底部１０４に対して上下反対側に足を出し入れするための開口部が爪先部１０２、側辺部１０６および踵部１０８により形成されている。そして、開口部の周縁に沿った側辺部１０６および踵部１０８に、伸縮性および粘着性を備えたシリコーンテープ（帯状のシリコーン部）１１６が設けられ、開口部の周縁に沿った爪先部１０２に、伸縮性および粘着性を備えた爪先部シリコーンテープ（帯状のシリコーン部）１１２が設けられている。なお、爪先部シリコーンテープ１１２が設けられない場合もある。すなわち、開口部の周縁に沿った少なくとも側辺部１０６および踵部１０８に、伸縮性および粘着性を備えたシリコーンテープ１１６が設けられていれば構わない。
【００１６】
このようにシリコーンテープ１１６を開口部に設けたため、踵部１０８における上方部の足Ｆ側（内側）には、シリコン等の薄いシートで形成された踵部滑り止めを設ける必要がない。すなわち、踵部１０８に設けられたシリコーンテープ１１６により、足Ｆの踵との密着性を高めてフットカバー１００が足Ｆからずれることを防止できる。
さらに、図２に示すように、足底部１０４において、足Ｆが接する側と反対側（パンプスを履いたときにパンプスの内底に接する側）には、シリコーン等の薄いシートで形成された足底部滑り止め１１４を設けることも好ましい。これにより、パンプスの内底との密着性を高めてパンプス内におけるフットカバー１００の位置がずれることを防止できる。なお、この足底部滑り止めを、花柄模様等で形成することも好ましい。
【００１７】
なお、足底部１０４は、このフットカバー１００を形成する他の部分よりも厚い編地で構成されて、クッション性を持たせることも好ましい。
このような特徴を備えたフットカバー１００のシリコーンテープ１１６および爪先部シリコーンテープ１１２についてさらに詳しく説明する。なお、爪先部シリコーンテープ１１２もシリコーンテープ１１６と同じ構成および同じ接着方法であるので、以下においてはシリコーンテープ１１６について説明する。
【００１８】
シリコーンテープ１１６は、有機珪素化合物の集合体であるシリコーンを主体とした細幅（５ｍｍ〜１５ｍｍ程度）のテープ状を備え、その一面に接着剤を塗布したものである。ここで、有機珪素化合物の集合体とは、ケイ素と酸素とからなるシロキサン結合（≡Ｓｉ−Ｏ−Ｓｉ≡）を骨格とし、そのケイ素（Ｓｉ）にメチル（−ＣＨ３）を主体とする有機基が結合したポリマーである。接着剤は、このフットカバー１００の編地である薄手の伸縮性生地（レース地を含むパンティストッキング等の生地）にシリコーンテープ１１６を強力に接着することが好ましい。
【００１９】
なお、シリコーンテープ１１６をフットカバー１００の編地に設ける方法は、このような接着剤を用いた方法以外（たとえば熱融着性接着剤を用いた接着、接着以外の方法等）であっても構わない。以下において、これについて説明する。
上述したように本実施の形態に係るフットカバー１００においては、開口部の周縁に沿った側辺部１０６および踵部１０８に、伸縮性および粘着性を備えたシリコーンテープ１１６が設けられ、開口部の周縁に沿った爪先部１０２に、伸縮性および粘着性を備えた爪先部シリコーンテープ１１２が設けられているものとして説明したが、シリコーンテープではなく帯状のシリコーン部でも構わないし、接着でなくても構わない。すなわち、シリコーン部はテープ状のシリコーンテープ商品を接着するのではなく、たとえば、粘着状態のシリコーンをロータリータイプの機械でシルク印刷のように帯状に付着させるものであっても構わない。さらに、このようなロータリータイプの機械によるシルク印刷ではなく、噴射タイプの機械によりシリコーン部を開口部の周縁に沿った側辺部１０６および踵部１０８ならびに開口部の周縁に沿った爪先部１０２に帯状に設けるようにしても構わない。
【００２０】
以上のようにして、本実施の形態に係るフットカバーによると、フットカバーの開口部にゴム（特許文献１）および平ゴム（特許文献２）を設けないで、開口部の周縁に沿った少なくとも側辺部１０６および踵部１０８に、伸縮性および粘着性を備えたシリコーンテープ（帯状のシリコーン部）を設けた。このため、開口部にゴムまたは平ゴムを設けた上
に踵部に平ゴムとは別体の滑り止めを設けること必要なく、かつ、履き心地を阻害することなく、歩行時およびパンプスの脱ぎ履き時にフットカバーが脱げてしまったり履き位置がずれてしまったりすることを防止することができる。
【００２１】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２２】
本発明は、素足で履くフットカバーに好適であり、フットカバーを履くときに開口部が十分に開いて履きやすく、かつ、歩行時およびパンプスの脱ぎ履き時にフットカバーが脱げてしまったり履き位置がずれてしまったりすることがない点で好ましく、履き心地がよく安価に製造できる点で、特に好ましい。
【符号の説明】
【００２３】
１００  フットカバー
１０２  爪先部
１１２  爪先部シリコーンテープ（帯状のシリコーン部）
１０４  足底部
１０６  側辺部
１１６  シリコーンテープ（帯状のシリコーン部）
１０８  踵部
Ｆ  足
【図１】
2015137426.tif 000003
【図２】
2015137426.tif 000004